(57)【特許請求の範囲】
【請求項１】
部屋の対向する壁である両側壁間に鏡を配置し、鏡の側端部と側壁との間の隙間を隠すための隙間隠し部材を前縁材と後取付け材との２部材で構成し、後取付け材を両側壁間に配置する鏡の背方に位置する部屋の壁である後壁に取付けるものにおいて、取付け片の一端部から前方に係止部を突設すると共に係止部を突設した方の取付け片の一端部から背方に向けて背方突片を突設して後取付け材を構成し、上記背方突片の突出基部に切断用の切込みを形成し、前覆い片の一端部から背方に向けて側片を突設すると共に前覆い片の側片よりも少し内側において側片よりも突出長さの短い被係止部を突設して前縁材を構成し、上記側片の被係止部の先端よりもやや突出側に切断用の切込みを形成し、後取付け材の取付け片を後壁に取付け、後取付け材の前面側に設けた係止部に前縁材の後面側に設けた被係止部を係止して前縁材により鏡の側端部と側壁との間の隙間を覆って成ることを特徴とする鏡と側壁との間の隙間隠し構造。
【請求項２】
後取付け材と前縁材とで鏡を挟持して固定して成ることを特徴とする請求項１記載の鏡と側壁との間の隙間隠し構造。
【発明の詳細な説明】
【０００１】
【発明の属する技術分野】
本発明は、鏡を側壁間に配置した場合における鏡と側壁との間の隙間隠し構造に関するものである。
【０００２】
【従来の技術】
従来から鏡を側壁間に配置して取付けることが行われている。この場合、側壁間の長さが一定でないので、横幅の長さの異なる複数種類の鏡を用意して、この中から適当な横幅の長さの鏡を側壁間に配置している。
しかしながら、このものにおいては、横幅の長さの異なる複数種類の鏡を用意しておく必要があるという問題があり、また、このようにして選んだ最適の横幅の長さの鏡を現場において側壁間に配設しても、現場における側壁間の距離と鏡とが同じでないため、依然として鏡の側端部と側壁との間に隙間が生じて外観が悪くなるという問題がある。
【０００３】
【発明が解決しようとする課題】
本発明は上記の従来例の問題点に鑑みて発明したものであって、１種類のサイズの鏡を種々の現場において側壁間に取付け、鏡の側端部と側壁との間の隙間を簡単な構成で隠すことができる鏡と側壁との間の隙間隠し構造を提供することを課題とするものである。
【０００４】
【課題を解決するための手段】
上記本発明の課題を解決するため、本発明の鏡と側壁との間の隙間隠し構造は、部屋の対向する壁である両側壁２間に鏡を配置し、鏡１の側端部と側壁２との間の隙間３を隠すための隙間隠し部材４を前縁材５と後取付け材６との２部材で構成し、後取付け材６を両側壁２間に配置する鏡１の背方に位置する部屋の壁である後壁２ａに取付けるものにおいて、取付け片９の一端部から前方に係止部７を突設すると共に係止部７を突設した方の取付け片９の一端部から背方に向けて背方突片１０を突設して後取付け材６を構成し、上記背方突片１０の突出基部に切断用の切込み１１を形成し、前覆い片１２の一端部から背方に向けて側片１３を突設すると共に前覆い片１２の側片１３よりも少し内側において側片１３よりも突出長さの短い被係止部８を突設して前縁材５を構成し、上記側片１３の被係止部８の先端よりもやや突出側に切断用の切込み１４を形成し、後取付け材６の取付け片９を後壁２ａに取付け、後取付け材６の前面側に設けた係止部７に前縁材５の後面側に設けた被係止部８を係止して前縁材５により鏡１の側端部と側壁２との間の隙間３を覆って成ることを特徴とするものである。このような構成とすることで、前縁材５の被係止部８を後壁２ａに取付けた後取付け材６の係止部７に係止することで、簡単且つ確実に前縁材５を取付けて前縁材５により鏡１の側端部と側壁２との間の隙間３を覆うことができるものであり、また、鏡１の裏面に曇り止めヒータがある場合と、曇り止めヒータがない場合のいずれの場合においても、背方突片１０の切断用の切込み１１、側片１３の切断用の切込み１４部分で切断するか、切断しないかを選択するだけで対応できるものである。
【０００５】
また、後取付け材６と前縁材５とで鏡１を挟持して固定することが好ましい。このような構成とすることで、隙間隠し部材４自身により鏡１の取付けができ、別途鏡１を取付けるための上下の止め金具やサッシ材を用いなくてもよいものである。
【０００６】
【発明の実施の形態】
本発明を以下添付図面に示す実施形態に基づいて説明する。隙間隠し部材４は前縁材５と後取付け材６との２部材で構成してある。後取付け材６は取付け片９の一端部から前方に係止部７を突設すると共に係止部７を突設した方の取付け片９の一端部から背方に向けて背方突片１０を突設して構成してある。係止部７は前向き突片に溝を形成して構成してあり、該溝の内壁は鋸刃状をしている。前縁材５は前覆い片１２の一端部から背方に向けて側片１３を突設すると共に前覆い片１２の側片１３よりも少し内側において側片１３よりも突出長さの短い被係止部８を突設して構成してある。被係止部８は鋸刃状突片により構成してある。
【０００７】
鏡１は対向する側壁２間に配置されるが、鏡１の取付けに当たっては後壁２ａにヒータ取付け部材となる裏板１６を固着具１７により固着する。次に、後取付け材６の背方突片１０を裏板１６と側壁２との間の隙間に配置して背方突片１０の先端を後壁２ａに当てると共に、後取付け材６の取付け片９を裏板１６の表面に当てて固着具１８により取付け片９を裏板１６に固着するものである。このように、背方突片１０の先端を後壁２ａに当てることで、後取付け材６の前方から作用する力に対して背方突片１０部分でも支持できるようになっており、鏡１の側端部と側壁２との間の隙間３が図２のように大きい場合でも後取付け材６の前方から作用する力を充分支持できるものである。
【０００８】
次に、パッキン１９を介して鏡１を裏板１６の表面側に取付ける。この場合、鏡１は下端部が図３に示すように、洗面化粧台２０のカウンター２１の後端部に立ち上がった立ち上がり部２２の上面に載置される。この状態で前縁材５の側片１３を側壁２ａに沿わせながら被係止部８を後取付け材６に設けた係止部７に係止して前覆い片１２を鏡１の表面の側端部に当接し、これにより鏡１の側端部と側壁２との間の隙間３を前縁材５により覆うのである。側片１３の先端部は背方突片１０の先端部の当て片１０ａに当接し、前縁材５の前方から作用する力を側片１３によっても支持するようにしている。
【０００９】
ここで、対向する壁２間の長さが現場により異なって、横長さが一定の同一サイズの鏡１を使用した場合、鏡１と側壁２との間の隙間３の幅が異なっても、本発明の隙間隠し部材４は隙間３の幅が図１から図２の範囲までの間において対応できるものである。
そして、上記のように、前縁材５の被係止部８を後取付け材６の係止部７に係止して前覆い片１２を鏡１の前面に押し当てることで、鏡１が前縁材５と後取付け材６とで前後から挟持されて固定されることになる。
【００１０】
ここで、上記実施形態においては、鏡１の下端部を洗面化粧台２０のカウンター２１の後端部に立ち上がった立ち上がり部２２の上面に載置した例を示しているが、図４に示すように後取付け材６の下端部に鏡１の下端部を載置するための載置片２３を設け、この載置片２３に鏡１の下端部を載置するようにしてもよい。このように、鏡１の下端部を洗面化粧台２０のカウンター２１の後端部に立ち上がった立ち上がり部２２の上面に載置したり、あるいは、図４のように後取付け材６の下端部に載置片２３を設けて鏡１の下端部を載置すると共に鏡１を前縁材５と後取付け材６とで前後から挟持されて固定する場合には、従来のように鏡１の上下端部を止め金具やサッシ材で支持する必要がないものであって、この場合には、鏡１の上下端部を支持する止め金具やサッシ材が外部に露出して外観を悪くするというようなおそれがないものである。もちろん、本発明において鏡１の上下端部を止め金具やサッシ材で支持してもよいものである。
【００１１】
ところで本発明においては、後取付け材６の背方突片１０の突出基部に切断用の切込み１１が形成してあり、また、前縁材５の側片１３の被係止部８の先端よりもやや突出側に切断用の切込み１４が形成してある。そして、前述のように、後壁２ａにヒータ取付け部材となる裏板１６を固着具１７により固着する場合には、図１又は図２のようにして前述のように後取付け材６を取付けると共に、後取付け材６の係止部７に前縁材５の被係止部８を係止することで前縁材５を取付けて鏡１と側壁２との間の隙間３を覆うものである。
【００１２】
一方、ヒータ取付け部材となる裏板１６を用いない場合には、後取付け材６の背方突片１０の突出基部に設けた切断用の切込み１１部分においてカッター等を用いて切断し、例えば図５に示すように後取付け材６の取付け片９を裏板１６の表面に当てて固着具１８により取付け片９を後壁２ａに直接固着するものである。また、前縁材５の側片１３に設けた切断用の切込み１４部分においてカッター等を用いて切断し、前縁材５の側片１３を側壁２ａに沿わせながら被係止部８を後取付け材６に設けた係止部７に係止して前覆い片１２を鏡１の表面の側端部に当接し、これにより鏡１の側端部と側壁２との間の隙間３を前縁材５により覆うものである。
【００１３】
このように、本発明においては、鏡１の裏面に曇り止めヒータがある場合と、曇り止めヒータがない場合のいずれの場合においても（つまり、ヒータ取付け部となる裏板１６がある場合と裏板１６が無い場合とのいずれの場合においても）、背方突片１０の切断用の切込み１１、側片１３の切込み１４部分で切断するか、切断しないかを選択するだけで対応できるものである。
【００１４】
【発明の効果】
本発明の請求項１記載の発明にあっては、上述のように、部屋の対向する壁である両側壁間に鏡を配置し、鏡の側端部と側壁との間の隙間を隠すための隙間隠し部材を前縁材と後取付け材との２部材で構成し、後取付け材を両側壁間に配置する鏡の背方に位置する部屋の壁である後壁に取付けるものにおいて、取付け片の一端部から前方に係止部を突設すると共に係止部を突設した方の取付け片の一端部から背方に向けて背方突片を突設して後取付け材を構成し、上記背方突片の突出基部に切断用の切込みを形成し、前覆い片の一端部から背方に向けて側片を突設すると共に前覆い片の側片よりも少し内側において側片よりも突出長さの短い被係止部を突設して前縁材を構成し、上記側片の被係止部の先端よりもやや突出側に切断用の切込みを形成し、後取付け材の取付け片を後壁に取付け、後取付け材の前面側に設けた係止部に前縁材の後面側に設けた被係止部を係止して前縁材により鏡の側端部と側壁との間の隙間を覆ってあるので、前縁材の被係止部を後壁に取付けた後取付け材の係止部に係止するだけで、簡単且つ確実に前縁材を取付けて前縁材により鏡の側端部と側壁との間の隙間を覆うことができるものであり、この結果、１種類のサイズの鏡を種々の現場において側壁間に取付け、鏡の側端部と側壁との間の隙間を隙間隠し部材により簡単に隠すことができるものであり、しかも、鏡の裏面に曇り止めヒータを取付ける場合と、曇り止めヒータを取付けない場合とのいずれの場合においても、背方突片の切断用の切込み、側片の切込み部分で切断するか、切断しないかを選択するだけで一種類の隙間隠し部材により対応できるものである。
【００１５】
また、請求項２記載の発明にあっては、上記請求項１記載の発明の効果に加えて、後取付け材と前縁材とで鏡を挟持して固定してあるので、隙間隠し部材自身により鏡の取付けができ、別途鏡を取付けるための上下の止め金具やサッシ材を用いなくてもよく、外観を良くすることができるものである。
【図面の簡単な説明】
【図１】本発明の一実施形態の鏡の側端部と側壁との間の隙間が狭い場合における収まりを示す断面図である。
【図２】同上の鏡の側端部と側壁との間の隙間が広い場合における収まりを示す断面図である。
【図３】同上の洗面化粧台の上に鏡を配置する場合の例を示す正面図である。
【図４】同上の後取付け材の下端部に鏡の下端部を載置するための載置片を設けた例を示す斜視図である。
【図５】同上の裏板を設けない場合の収まりを示す断面図である。
【符号の説明】
１ 鏡
２ 側壁
２ａ 後壁
３ 隙間
４ 隙間隠し部材
５ 前縁材
６ 後取付け材
７ 係止部
８ 被係止部
９ 取付け片
１０ 背方突片
１１ 切込み
１２ 前覆い片
１３ 側片
１４ 切込み
【図１】
0003591224.tif 000002
【図２】
0003591224.tif 000003
【図３】
0003591224.tif 000004
【図４】
0003591224.tif 000005
【図５】
0003591224.tif 000006